(57)【要約】  保存された複数の楽曲の特徴量と再生履歴とを同時に把握可能として、ユーザの要求に応じた楽曲の選択を容易とすることが可能なオーディオ装置を提供すること。  曲の検索指示時に、ディスプレイ装置（９）の表示画面上に、楽曲が有する特徴量に基づいて分類したグループを示す複数の選択ボタンを、それぞれ異なる位置に指示し、かつ、この選択ボタンの表示を、ユーザ履歴分析装置（１０）が有した履歴値に応じた形状や色による表現要素を加えて表示する全体制御装置（１１）を備えていることを特徴とするオーディオ装置とした。
2009057625.tif 000002
【特許請求の範囲】
【請求項１】
複数の楽曲を保存する楽曲保存装置と、
これら楽曲を、あらかじめ設定された楽曲の特徴を表す特徴量に基づいて分析する楽曲分析装置と、
この楽曲分析装置の分析結果を、前記楽曲と関連付けて保存する楽曲検索用情報保存装置と、
前記分析結果に基づいて、前記楽曲を、前記特徴量に応じてあらかじめ設定された複数のグループに分類する分類装置と、
前記楽曲保存装置に保存された楽曲を再生する再生装置と、
楽曲再生時に、この再生に関する情報である再生履歴情報を、再生した楽曲と前記グループとの少なくとも一方に関連付けして保存する履歴分析装置と、
前記楽曲保存装置に保存された楽曲の再生指示および検索指示の操作を実行可能な指示操作装置と、
表示画面を備えるとともに、この表示画面からの入力が可能なタッチパネル機能を備えたディスプレイ装置と、
検索指示時に、前記表示画面上に、前記複数のグループにそれぞれ対応して設定された複数の選択ボタンを、それぞれあらかじめ設定された位置に表示し、かつ、この選択ボタンの表示時に、この選択ボタンが対応するグループの前記再生履歴情報に応じた形状と色との少なくとも一方を含む表現要素を加えて表示する表示制御装置と、を備えるオーディオ装置。
【請求項２】
前記履歴分析装置は、再生履歴情報として、再生頻度が高いほど大きな値となる履歴値を算出する請求項１に記載のオーディオ装置。
【請求項３】
前記履歴分析装置は、楽曲の再生順序に応じ、最初に再生された楽曲の履歴値が大きくなるよう前記履歴値を算出する請求項２に記載のオーディオ装置。
【請求項４】
前記履歴分析装置は、楽曲が最後まで再生されたか中断されたかにより、最後まで再生された楽曲の履歴値が大きくなるよう履歴値を算出する請求項２に記載のオーディオ装置。
【請求項５】
前記履歴分析装置は、楽曲が最後まで再生されたか中断されたかにより、最後まで再生された楽曲の履歴値が大きくなるよう履歴値を算出する請求項３に記載のオーディオ装置。
【請求項６】
前記履歴分析装置は、楽曲の再生時期が現在に近いか否かにより、現在に近いほど履歴値が大きくなるよう履歴値を算出する請求項２に記載のオーディオ装置。
【請求項７】
前記表示制御装置は、前記再生履歴情報に応じた表現要素を加えて前記選択ボタンを表示するのにあたり、前記履歴値が大きいグループほど、前記選択ボタンの面積を大きく表示する請求項２に記載のオーディオ装置。
【請求項８】
前記楽曲分析装置は、分析する前記特徴量として、第１特徴量と第２特徴量との２つの特徴量を有し、
前記表示制御装置は、前記選択ボタンを、前記両特徴量を直交する２軸で表す表示画面上に、各グループの特徴量に応じた位置に配置して表示する請求項１に記載のオーディオ装置。
【請求項９】
前記楽曲分析装置は、前記特徴量として、楽曲の音圧の変動に比例する第１特徴量と、楽曲中の音圧の平均値に比例する第２特徴量と、を用いて楽曲の分析を行う請求項１に記載のオーディオ装置。
【請求項１０】
楽曲の音楽的な特徴量を求め、得られた特徴量を楽曲に関連付けて保存する分析ステップと、
保存された楽曲の再生に伴い、再生に関する情報を数値化した履歴値を算出する履歴値算出ステップと、
楽曲検索時に、タッチパネル上に、分類された各グループを表示する選択ボタンを表示するとともに、この選択ボタンを、前記履歴値に対応させた形状や色による表示要素を加えて表す表示ステップと、を備える楽曲検索方法。
【発明の詳細な説明】
【技術分野】
【０００１】
本発明は、保存した楽曲を分類し、選択画面上にそれを表示して選択可能としたオーディオ装置および楽曲検索方法に関するものである。
【背景技術】
【０００２】
近年のオーディオ装置は、ハードディスクドライブやフラッシュメモリといった大容量の記憶媒体を有しており、ＣＤなどの音源の楽曲データを、圧縮手段（例えば、ＭＰ３、ＷＭＡ、ＡＡＣ、ＡＴＲＡＣ３などの手法）を用いてデータ圧縮し記憶媒体に保存することで、膨大な曲数の楽曲データが記憶できるようになっている。【０００３】
そこで、このような大量の楽曲を再生する際の、楽曲の選択が問題となる。従来、多数の楽曲の選択手法として、ツリー状に表現して選択する手法がよく知られている。これは、記憶媒体の種類、フォルダ、ファイルというように、徐々に絞り込んで選択する手法である。 
しかしながら、大容量の記憶媒体に楽曲を保存した場合、これをツリーで表示しようとすると、同一の階層に多数のメニュー項目が存在することになる。例えば、１つの記憶媒体に５００フォルダ３０００曲を保存した場合、フォルダを示すメニュー項目として５００項目が存在することになり、なかなか目的の楽曲（ファイル）に到達することができない。【０００４】
そこで、従来、特開２００２−２７８５４号公報では、保存する楽曲を、その楽曲ごとに音楽的な特徴量を演算し、さらに、この特徴量に基づいて分類しておいて、キーボードなどにより検索条件を入力して、分類した楽曲を選択する技術が提案されている。【０００５】
また、特開２００３−６８０６０号公報には、保存した楽曲を、利用者の評価と再生頻度とをそれぞれ軸とする２次平面上に点で示し、この表示画面上で選択することを可能とする技術が提案されている。    
【発明の開示】
【０００６】
しかしながら、上述の特開２００２−２７８５４号公報に記載の技術では、楽曲を特徴量に基づいて検索することは可能であるが、この特徴量のみに基づく検索では、最近よく聴く曲といった、再生履歴に基づく選択を行うことができない。しかも、キーボードなどを用いて、特定の選択条件をテキストで入力する場合、特に、車載のオーディオ装置では、入力の機会が限られ、使い勝手に問題がある。
【０００７】
また、表示画面上で、ＸＹ２軸の一方に再生履歴を表示する特開２００３−６８０６０号公報に記載の技術では、再生履歴の変化と共に、プロットされる位置が変化してしまい、同じ楽曲のプロット位置が表示画面上で変化し、特定の特徴量の楽曲を選択するのが難しくなる。
【０００８】
本発明は、上述の問題点に着目してなされたもので、保存された複数の楽曲の特徴量と再生履歴とを同時に把握可能として、ユーザの要求に応じた楽曲の選択を容易とすることが可能なオーディオ装置および楽曲検索方法を提供することを目的としている。
【０００９】
上記目的を達成するために、本発明に係るオーディオ装置は、複数の楽曲を保存する楽曲保存装置と、これら楽曲を、あらかじめ設定された楽曲の特徴を表す特徴量に基づいて分析する楽曲分析装置と、この楽曲分析装置の分析結果を、前記楽曲と関連付けて保存する楽曲検索用情報保存装置と、前記分析結果に基づいて、前記楽曲を、前記特徴量に応じてあらかじめ設定された複数のグループに分類する分類装置と、前記楽曲保存装置に保存された楽曲を再生する再生装置と、楽曲再生時に、この再生に関する情報である再生履歴情報を、再生した楽曲と前記グループとの少なくとも一方に関連付けして保存する履歴分析装置と、前記楽曲保存装置に保存された楽曲の再生指示および検索指示の操作を実行可能な指示操作装置と、表示画面を備えるとともに、この表示画面からの入力が可能なタッチパネル機能を備えたディスプレイ装置と、検索指示時に、前記表示画面上に、前記複数のグループにそれぞれ対応して設定された複数の選択ボタンを、それぞれあらかじめ設定された位置に表示し、かつ、この選択ボタンの表示時に、この選択ボタンが対応するグループの前記再生履歴情報に応じた形状と色との少なくとも一方を含む表現要素を加えて表示する表示制御装置と、を備える。
【００１０】
また、前記履歴分析装置は、再生履歴情報として、再生頻度が高いほど大きな値となる履歴値を算出してもよい。
【００１１】
また、前記履歴分析装置は、楽曲の再生順序に応じ、最初に再生された楽曲の履歴値が大きくなるよう前記履歴値を算出してもよい。
【００１２】
また、前記履歴分析装置は、楽曲が最後まで再生されたか中断されたかにより、最後まで再生された楽曲の履歴値が大きくなるよう履歴値を算出してもよい。
【００１３】
また、前記履歴分析装置は、楽曲の再生時期が現在に近いか否かにより、現在に近いほど履歴値が大きくなるよう履歴値を算出してもよい。
【００１４】
また、前記表示制御装置は、前記再生履歴情報に応じた表現要素を加えて前記選択ボタンを表示するのにあたり、前記履歴値が大きいグループほど、前記選択ボタンの面積を大きく表示してもよい。
【００１５】
また、前記楽曲分析装置は、分析する前記特徴量として、第１特徴量と第２特徴量との２つの特徴量を有し、前記表示制御装置は、前記選択ボタンを、前記両特徴量を直交する２軸で表す表示画面上に、各グループの特徴量に応じた位置に配置して表示してもよい。
【００１６】
また、前記楽曲分析装置は、前記特徴量として、楽曲の音圧の変動に比例する第１特徴量と、楽曲中の音圧の平均値に比例する第２特徴量と、を用いて楽曲の分析を行ってもよい。    
【００１７】
また、上述の目的を達成するために、本発明に係る楽曲検索方法は、楽曲の音楽的な特徴量を求め、得られた特徴量を楽曲に関連付けて保存する分析ステップと、保存された楽曲の再生に伴い、再生に関する情報を数値化した履歴値を算出する履歴値算出ステップと、楽曲検索時に、タッチパネル上に、分類された各グループを表示する選択ボタンを表示するとともに、この選択ボタンを、前記履歴値に対応させた形状や色による表示要素を加えて表す表示ステップと、を備える
【図面の簡単な説明】
【００１８】
【図１】本発明の実施の形態の実施例１のオーディオ装置Ａの構成を示すブロック図である。
【図２】実施例１のオーディオ装置Ａにおいて楽曲検索用情報保存装置３に、第１特徴量Ｓｘおよび第２特徴量Ｓｙが、楽曲に関連付けされて保存される態様の説明図である。
【図３】実施例１において、第１特徴量Ｓｘおよび第２特徴量Ｓｙと、これら特徴量Ｓｘ，Ｓｙに応じて分類された第１〜第９グループＧ０〜Ｇ８との関係を示す特性図である。
【図４】実施例１において、表示画面９ａに第１〜第９選択ボタン１００〜１０８を表示させた一例を示す説明図である。
【図５】実施例１においてメディア駆動装置１により楽曲の再生を行ったときの処理の流れを示すフローチャートである。
【図６】実施例１において内部楽曲保存装置２に保存された楽曲を再生したときの処理の流れを示すフローチャートである。
【図７】実施例１における楽曲検索処理の流れを示すフローチャートである。
【符号の説明】
【００１９】
１     メディア駆動装置
２     内部楽曲保存装置（楽曲保存装置）
３     楽曲検索用情報保存装置（分類装置）
４     楽曲再生装置
５     スピーカ装置
６     リスト情報保存装置（情報保存装置）
７     楽曲分析装置
８     ユーザインタフェース装置
９     ディスプレイ装置（指示装置、ディスプレイ装置）
９ａ   表示画面
１０   ユーザ履歴分析装置（履歴分析装置）
１１   全体制御装置（表示制御装置）
１００ 第１選択ボタン
１０１ 第２選択ボタン
１０２ 第３選択ボタン
１０３ 第４選択ボタン
１０４ 第５選択ボタン
１０５ 第６選択ボタン
１０６ 第７選択ボタン
１０７ 第８選択ボタン
１０８ 第９選択ボタン
Ａ     オーディオ装置
ＧＲ   合計値
Ｓｘ   第１特徴量
Ｓｙ   第２特徴量
ＲＲ   履歴値
【発明を実施するための最良の形態】
【００２０】
以下、本発明のオーディオ装置の実施の形態を説明する。
この実施の形態のオーディオ装置は、複数の楽曲を保存する楽曲保存装置（２）と、これら楽曲を、あらかじめ設定された楽曲の特徴を表す特徴量に基づいて分析する楽曲分析装置（７）と、この楽曲分析装置（７）の分析結果を、前記楽曲と関連付けて保存する楽曲検索用情報保存装置（３）と、前記分析結果に基づいて、前記楽曲を、前記特徴量に応じてあらかじめ設定された複数のグループに分類する分類装置（３）と、前記楽曲保存装置（２）に保存された楽曲を再生する再生装置（４）と、楽曲再生時に、この再生に関する情報である再生履歴情報を、再生した楽曲と前記グループとの少なくとも一方に関連付けして保存する履歴分析装置（１０）と、前記楽曲保存装置（２）に保存された楽曲の再生指示および検索指示の操作を実行可能な指示操作装置（９）と、表示画面（９ａ）を備えるとともに、この表示画面（９ａ）からの入力が可能なタッチパネル機能を備えたディスプレイ装置（９）と、検索指示時に、前記表示画面（９ａ）上に、前記複数のグループにそれぞれ対応して設定された複数の選択ボタン（１００〜１０８）を、それぞれあらかじめ設定された位置に表示し、かつ、この選択ボタン（１００〜１０８）の表示時に、この選択ボタン（１００〜１０８）が対応するグループの前記再生履歴情報に応じた形状と色との少なくとも一方を含む表現要素を加えて表示する表示制御装置（１１）と、を備えていることを特徴とするオーディオ装置である。
【実施例１】
【００２１】
図１〜図８に基づいて本発明の最良の実施の形態として実施例１のオーディオ装置Ａについて説明する。【００２２】
まず、実施例１のオーディオ装置Ａの構成を説明する。
この実施例１のオーディオ装置Ａは、車載されたもので、図１に示すように、メディア駆動装置１、内部楽曲保存装置２、楽曲検索用情報保存装置（分類手段）３、楽曲再生装置４、スピーカ装置５、リスト情報保存装置６、楽曲分析装置７、ユーザインタフェース装置８、ディスプレイ装置（指示操作装置）９、ユーザ履歴分析装置１０、全体制御装置（表示制御装置）１１を備えている。【００２３】
メディア駆動装置１は、車両外から持ち込んだ記憶媒体（ＣＤ（Compact Discの略である）、ＭＤ（Mini Discの略）、ＤＶＤ（Digital Versatile Disc））などを駆動すると同時に、それらの記憶媒体に保存された楽曲データを再生することができる情報に変換する機能を有している。【００２４】
内部楽曲保存装置２は、書き換え可能な磁気記憶媒体であるハードディスクドライブ（Hard disk drive）やフラッシュメモリなどで構成されており、メディア駆動装置１において再生される外部記憶媒体に保存された楽曲データを保存する。なお、保存時には、楽曲の音響情報をアナログディジタル変化したＰＣＭデータで保存する場合もあるが、本実施例１では、保存量を増やすために圧縮して保存するものとする。また、それぞれの楽曲に付加的に加えられている各種情報（例えば、タイトル名やアーティスト名、ジャンルなどを持ったＴＡＧなど）が存在する場合には、これらの情報は、メタデータとして、楽曲検索用情報保存装置３に保存する。【００２５】
楽曲検索用情報保存装置３は、それぞれの楽曲データに付加された情報（メタデータ）と、楽曲分析装置７によって分析された分析結果と、が関連付けられて保存されるとともに、詳細は後述するが、分析結果が示す特徴量（Ｓｘ，Ｓｙ）に応じて、楽曲を後述する第１グループＧ０，第２グループＧ１，第３グループＧ２，第４グループＧ３，第５グループＧ４，第６グループＧ５，第７グループＧ６，第８グループＧ７，第９グループＧ８の９つのグループＧ０〜Ｇ８に分類する。
なお、付加情報は、楽曲再生時に、全体制御装置１１により読み出されて、ディスプレイ装置９に表示されるようになっている。
また、楽曲検索用情報保存装置３は、検索時に、分類した各グループＧ０〜Ｇ８に対応する後述する各選択ボタン１００〜１０８が選択されたときには、対応するグループＧ０〜Ｇ８に含まれる楽曲のリスト一覧に相当する情報（楽曲情報とその保存先の一覧）を出力する機能を有している。【００２６】
楽曲再生装置４は、全体制御装置１１の指示に従い、内部楽曲保存装置２に保存されている楽曲データ、およびメディア駆動装置１で駆動される外部記憶装置（図示省略）に記憶されている楽曲データを取得し、その楽曲データを再生する。なお、楽曲データが圧縮されている場合には、それぞれの圧縮方法に準拠した方法にて圧縮を解除（デコード）しＰＣＭデータとして出力する機能を持っている。【００２７】
リスト情報保存装置６は、楽曲検索用情報保存装置３によって内部的に作成した再生曲のリストの情報を保存する機能を持っている。また、ユーザが作成した楽曲再生リストを保存する機能も有している。【００２８】
楽曲分析装置７は、楽曲のＰＣＭデータを分析して、楽曲の音楽的な特徴を表す特徴量を算出する。
楽曲の分析は、本実施例１では、内部楽曲保存装置２に楽曲が保存されるときに楽曲ごとに行われ、本実施例１では、楽曲の保存は、メディア駆動装置１に挿入されたメディアに保存されている楽曲が再生されるときに行われる。なお、この分析は、メディア駆動装置１による再生時以外にも、メディア駆動装置１に、メディアが挿入されたときや、図外の外部楽曲保存装置が接続されたときに行ってもよい。【００２９】
この楽曲分析において、本実施例１では、特徴量として、第１特徴量Ｓｘと第２特徴量Ｓｙとを算出する。
第１特徴量Ｓｘは、曲全体の音圧変動の大きさに比例して、音圧変動が大きい場合に大きく、音圧変動が小さい場合に小さくなる値であって、楽曲の「クールさ」の程度を表している。
一方、第２特徴量Ｓｙは、曲全体の音圧平均値に比例して、音圧平均値が大きい場合に大きく、音圧平均値が小さい場合に小さくなる値であって、楽曲の「力強さ」あるいは「激しさ」の程度を表している。
なお、第１特徴量Ｓｘおよび第２特徴量Ｓｙが小さい場合、「穏やかさ」あるいは「癒し系度」が高いと表現することができる。【００３０】
また、このように算出された第１特徴量Ｓｘおよび第２特徴量Ｓｙは、楽曲に関連付けられ、図２に示すように、保存先ならびにファイル名と共に楽曲検索用情報保存装置３に保存される。【００３１】
さらに、楽曲検索用情報保存装置３では、前述したように、２つの特徴量Ｓｘ，Ｓｙに基づいて、保存された楽曲を第１グループＧ０〜第９グループＧ８の９つのグループに分類する。
すなわち、図３に示すように、前述の各グループＧ０〜Ｇ８は、両特徴量Ｓｘ，Ｓｙを、それぞれ３段階に分ける閾値ｘ２，ｘ４，ｙ２，ｙ４を設定することで、図示のように分類されている。
例えば、第１グループＧ０は、力強いが穏やかな曲調のグループであり、第３グループＧ２は、力強くクールな曲調のグループであり、第７グループＧ６は、穏やかで癒し系の曲調のグループであり、第９グループＧ８は、穏やかであるがクールな曲調のグループと表現することができる。【００３２】
ユーザ履歴分析装置１０は、ユーザが、内部楽曲保存装置２に保存した楽曲を再生した場合に、楽曲検索用情報保存装置３から、その楽曲に関連付けられた両特徴量Ｓｘ，Ｓｙを取得し、かつ、両特徴量Ｓｘ，Ｓｙに該当する各グループＧ０〜Ｇ８に対して、楽曲の再生履歴情報を数値化した値である履歴値ＲＲを演算して保存する。
履歴値ＲＲは、内部楽曲保存装置２に保存された楽曲が再生された際に、その楽曲に対して与えられる値であり、楽曲の最後まで再生された場合には、ＲＲ＝２が与えられ、一方、途中で中断された場合には、ＲＲ＝１が与えられる。【００３３】
さらに、本実施例１では、履歴値ＲＲに、再生順重み付けと、再生時期重み付けとの２通りの重み付けを行っている。
再生順重み付けは、再生時に最初に再生された楽曲か、連続再生の２番目以降の再生かで重み付けを行うものであって、最初に再生された楽曲には、履歴値ＲＲに「２」を加算し、２番目以降に再生された楽曲には、履歴値ＲＲに「１」を加算する。【００３４】
再生時期重み付け処理は、再生時期が現在から過去に設定数だけ遡った設定数の楽曲に対して、再生時期が、最近側か古い側かに応じて重み付けを行う処理である。
具体的には、再生時期が、最近から設定数に含まれる楽曲のうち、最近側の半分の楽曲には、履歴値ＲＲに「１．０」を乗じる重み付けを行い、一方、古い側の半分の楽曲には、履歴値ＲＲに「０．１」を乗じる重み付けを行う。なお、設定数としては、例えば、数十から数百の範囲の数とし、例えば、２００曲とする。【００３５】
ユーザインタフェース装置８は、ユーザと全体制御装置１１との間で、ディスプレイ装置９の表示機能によるユーザへの視覚情報の提示と、ディスプレイ装置９のタッチパネル機能によるユーザによる入力および指示とのやり取りを行う。【００３６】
このディスプレイ装置９は、図４に示す長方形状の表示画面９ａを有している。また、この表示画面９ａには、タッチパネル機能が与えられている。
すなわち、表示画面９ａには、オーディオ装置Ａの各種作動を制御するための複数種類の操作画面が表示され、その画面上の選択ボタン（１００〜１０８など）をユーザが押して指示操作を行うのに対応して、例えば、楽曲の検索や再生などが、実行される。【００３７】
ここで、図４に示しているのは、検索時の画面であり、前述の第１〜第９グループＧ０〜Ｇ８を選択する第１選択ボタン１００，第２選択ボタン１０１，第３選択ボタン１０２，第４選択ボタン１０３，第５選択ボタン１０４，第６選択ボタン１０５，第７選択ボタン１０６，第８選択ボタン１０７，第９選択ボタン１０８が表示されている状態を示している。【００３８】
全体制御装置１１は、上記の各装置１〜１０の作動を制御すると共に、ユーザインタフェース装置８を介したユーザの操作を実現する機能を持っている。【００３９】
そこで、以下に、全体制御装置１１による処理の流れをフローチャートに基づいて説明する。
まず、メディア駆動装置１を用いた楽曲の再生が指示された場合の、再生処理の流れを図５のフローチャートにより説明する。【００４０】
この場合の再生処理は、メディア駆動装置１に、ＣＤなどの録音対象の楽曲データを有したメディアが挿入されるか、あるいは、ディスプレイ装置９の表示画面９ａにおいて、この再生を指示する操作が行われた場合に実行される。【００４１】
上記のいずれかの操作により、ステップＳ１において、楽曲再生の判定が成されると、ステップＳ２に進んで、全体制御装置１１は、このメディアからＰＣＭデータのリッピングを開始するとともに、楽曲再生装置４に、楽曲データ（ＰＣＭデータ）を送り楽曲の再生を開始し、これらの動作を続行する。【００４２】
次に、ステップＳ３に進んで、内部楽曲保存装置２への楽曲の保存（録音）ならびに楽曲分析装置７における楽曲分析の開始を指示する。【００４３】
さらに、ステップＳ４に進んで、楽曲データが存在する場合、ステップＳ５の録音処理とステップＳ６の分析処理とを並列に実行する。すなわち、全体制御装置１１では、上記の再生と同時に、楽曲データの圧縮処理を行って内部楽曲保存装置２に逐次保存し（ステップＳ５）、かつ、これと並列に、楽曲分析装置７に対してＰＣＭデータを送付して分析処理を実行させる（ステップＳ６）。なお、圧縮処理および分析処理は、再生速度のＮ倍速で行うようにしてもよい。
楽曲分析装置７における分析は、前述のように楽曲全体の音圧変動に比例した第１特徴量Ｓｘと、楽曲全体の音圧平均値に比例した第２特徴量Ｓｙとを取得する処理である。
また、このステップＳ５およびステップＳ６の録音処理および分析処理は、この再生中の楽曲について、楽曲データの全てのデータについて処理を行うまで、すなわち、ステップＳ４においてＮＯと判定されるまで繰り返し実行される。【００４４】
次に、１曲目の再生が終了してステップＳ４においてＮＯと判定されると、ステップＳ７に進んで内部楽曲保存装置２に楽曲データをファイルとして保存する。
さらに、ステップＳ８に進んで、楽曲分析装置７による分析を終了して第１特徴量Ｓｘおよび第２特徴量Ｓｙを確定し、楽曲検索用情報保存装置３に、これら特徴量Ｓｘ，Ｓｙを、楽曲に関連付けして保存する。以上の、ステップＳ６〜Ｓ８の処理が分析ステップに相当する。【００４５】
そして、ステップＳ９に進んで、メディア駆動装置１において引き続き再生可能な楽曲の存在（次曲）の有無を確認し、次曲が存在していれば、次曲について、ステップＳ２〜Ｓ８の処理を実行して、再生、録音、分析、分析結果の保存を実行する。以上の処理を、次曲の存在が無くなるまで繰り返す。【００４６】
次に、内部楽曲保存装置２に保存された楽曲を再生したときの処理を図６のフローチャートにより説明する。
なお、この場合の再生指示は、ディスプレイ装置９の表示画面９ａに表示された再生指示ボタンを押す操作が行われることで実行されるものとする。【００４７】
まず、再生指示が成されると、ステップＳ１１からステップＳ１２に進んで、再生処理を実行する。
そして、ステップＳ１３により再生終了判定が成されると、ステップＳ１４に進んで、再生情報を取得し、この再生情報をユーザ履歴分析装置１０に送る。
ここで、再生情報とは、前述のように、再生を中断したか最後まで再生したかの情報、再生の順番である、連続再生の最初の曲か、２番目以降の再生かの情報、および再生時期の情報、である。【００４８】
次のステップＳ１５では、ユーザ履歴分析装置１０において、再生情報に基づいて履歴値ＲＲを算出する。なお、このステップＳ１４、Ｓ１５の処理が履歴値算出ステップに相当する。
この履歴値ＲＲは、前述のように、最後までの再生の場合には「２」が、中断の場合には「１」が与えられる。さらに、最初の再生の場合には、「＋２」、２番目以降の再生の場合には、「＋１」を与える重み付けが行われる。さらに、最近再生された２００曲に対し、再生時期が最近側の１００曲には、「１．０」を乗じ、古い側の１００曲には、「×０．１」を乗じる重み付けが成される。【００４９】
次のステップＳ１６では、楽曲検索用情報保存装置３から、今回再生した楽曲の第１特徴量Ｓｘおよび第２特徴量Ｓｙを取得し、この楽曲が属するグループとステップＳ１５で得られた履歴値ＲＲとを関連付けて保存する。【００５０】
次に、楽曲検索時の処理である楽曲検索処理の流れを図７のフローチャートにより説明する。
ディスプレイ装置９の表示画面９ａでは、図示は省略するが、楽曲検索を指示する検索指示ボタンが表示され、この検索指示ボタンが押されることで実行が開示される。【００５１】
この検索指示が成された場合、ステップＳ２２に進んで、ユーザ履歴分析装置１０に保存されている履歴値ＲＲと、その履歴値ＲＲを有する楽曲が属するグループと、を読み取り、第１〜第９グループＧ０〜Ｇ８ごとに、そのグループに属する楽曲が有する履歴値ＲＲの合計値ＧＲを算出する。【００５２】
ステップＳ２３では、全体制御装置１１において、合計値ＧＲに基づいて、各グループＧ０〜Ｇ８を示す第１〜第９選択ボタン１００〜１０８の半径を算出する。
さらに、ステップＳ２４では、全体制御装置１１が、ステップＳ２３で得られた半径で各選択ボタン１００〜１０８を表示する信号を、ユーザインタフェース装置８を介してディスプレイ装置９に出力する。【００５３】
この出力により、ディスプレイ装置９の表示画面９ａでは、図４に示すように、横軸を第１特徴量Ｓｘをとし、縦軸を第２特徴量Ｓｙとする長方形の２次元画面上において、３列３行を成すあらかじめ設定された位置に、各選択ボタン１００〜１０８が、合計値ＧＲに応じた半径で表示される。以上の、ステップＳ２２〜Ｓ２４の処理が表示ステップに相当する。【００５４】
図４に示す例では、第２グループＧ１と第７グループＧ６の合計値ＧＲが最も大きく、次に、第６グループＧ５の合計値ＧＲが大きく、次に、第１グループＧ０，第３グループＧ２，第９グループＧ８の合計値ＧＲが同程度で大きく、第４グループＧ３，第５グループＧ４の合計値ＧＲが最も小さいのが分かる。
すなわち、ユーザは、第２グループＧ１と第７グループＧ６とに属する楽曲について、再生回数が多く、かつ、楽曲の最後まで聴いた傾向が強く、かつ、最初に再生した傾向が強く、かつ、最近再生した傾向が強い、といえる。したがって、第２グループＧ１と第７グループＧ６とが、ユーザの嗜好に最も合致したグループといえる。【００５５】
次に、各選択ボタン１００〜１０８の選択が行われた場合の処理について説明する。
本実施例１では、各選択ボタン１００〜１０８のいずれかが選択された場合、全体制御装置１１は、リスト情報保存装置６に保存された再生リストを一覧表示する。この再生リストは、各選択ボタン１００〜１０８の選択されたものに対応するグループＧ０〜Ｇ８に含まれる楽曲のデータ（曲名や演奏者など）を、履歴値ＲＲの大きさの順に一覧表示したものである。
さらに、上記再生リストの表示とともに、一覧表示順の再生と、ランダム再生と、を選択するボタンも表示する。【００５６】
そこで、ユーザは、以下の３通りの再生方法を選択することができる。
第１の再生方法は、一覧表示されたリストの特定の楽曲の表示部分を押して、特定の楽曲を選択的に再生させる方法である。
第２の再生方法は、表示されたリストの順番に再生する方法である。この再生は、上述の一覧表示順の選択ボタンが押されることで実行が開始される。【００５７】
第３の再生方法は、リストの表示順に関係なく、該当するグループに含まれる楽曲をランダムに再生する方法である。この再生は、上述のランダム再生の選択ボタンが選択されることで実行される。【００５８】
次に、実施例１の作用を説明する。
（メディアに保存された楽曲の再生時）
ＣＤなどのメディアに保存された楽曲の再生時には、そのメディアをメディア駆動装置１に挿入すると、全体制御装置１１は、このメディアからＰＣＭデータのリッピングを開始し、楽曲再生装置４による再生が開始される（ステップＳ２）。【００５９】
そして、再生と並行して、内部楽曲保存装置２への楽曲の保存（録音）と、楽曲分析装置７における楽曲分析が行われる（ステップＳ３）。
この楽曲の分析では、楽曲全体の音圧変動に比例した第１特徴量Ｓｘと、楽曲全体の音圧平均値に比例した第２特徴量Ｓｙとが求められる。
これら特徴量Ｓｘ，Ｓｙは、楽曲検索用情報保存装置３に、楽曲に関連付けして保存される。【００６０】
（保存された楽曲の再生時）
内部楽曲保存装置２に保存した楽曲の再生時には、再生終了時点で、再生情報である履歴値ＲＲが算出され（ステップＳ１５）、この履歴値ＲＲが、その楽曲が属するグループに関連付けてユーザ履歴分析装置１０に保存される（ステップＳ１６）。【００６１】
（検索時）
ユーザが検索を指示した際には、ディスプレイ装置９の表示画面９ａにおいて、図４に示す第１〜第９選択ボタン１００〜１０８が、両特徴量Ｓｘ，Ｓｙに応じた位置表示される。その際、第１〜第９選択ボタン１００〜１０８の半径は、そのグループに含まれる楽曲の履歴値ＲＲの合計値ＧＲが大きいほど大きく表示される。【００６２】
したがって、ユーザは、表示画面９ａにおける各選択ボタン１００〜１０８の位置により、これら選択ボタン１００〜１０８が示すグループＧ０〜Ｇ８に含まれる楽曲の音楽的特徴、すなわち、「力強い」「クール」「穏やか」「癒し系」などの特徴を短時間に把握することができる。さらに、各選択ボタン１００〜１０８の大きさ（半径）により、再生頻度、言い換えるとユーザの嗜好に合致しているか否かを、視覚的に短時間で認識することができる。【００６３】
そして、ユーザが、各選択ボタン１００〜１０８のいずれかを押した場合には、押された選択ボタンに対応するグループ、すなわち、各グループＧ０〜Ｇ８のいずれかのグループに含まれる楽曲の一覧が表示される。【００６４】
この場合、本実施例１では、履歴値ＲＲが大きいものから順に並んだ再生リストが表示されるとともに、その再生リストの順番で自動的に再生が開始される。
また、この再生リストのうちで、任意の楽曲が選択された場合には、その楽曲を先頭として、リスト順に再生が開始される。【００６５】
以上説明してきたように、本実施例１では、内部楽曲保存装置２に、多数の楽曲が保存されたものにおいて、楽曲の保存時に、楽曲の音楽的な特徴を示す第１特徴量Ｓｘと第２特徴量Ｓｙとに基づいて、楽曲を９種類の異なるグループＧ０〜Ｇ８に分類しておき、検索時には、これらのグループＧ０〜Ｇ８を選択することができる円形の選択ボタン１００〜１０８を、表示画面９ａ上に表示するとともに、その半径を、再生頻度が高く、かつ、最後まで再生し、かつ、再生順が最初であり、再生時期が最近のものほど、高い値となる履歴値ＲＲの合計値ＧＲに応じた大きさで表示するようにした。【００６６】
よって、ユーザは、楽曲の検索時に、保存された多数の楽曲の中から、表示される各選択ボタン１００〜１０８が示す特徴量と、その選択ボタン１００〜１０８に対応するグループＧ０〜Ｇ８に対するユーザ自身の再生傾向とを短時間に認識することができ、ユーザの嗜好に応じたグループＧ０〜Ｇ８の選択およびこれらグループＧ０〜Ｇ８に含まれる楽曲の選択が容易となる。【００６７】
さらに、本実施例１では、履歴値ＲＲが、再生頻度が高いほど大きな値となり、かつ、複数の楽曲を再生した場合に、最初に再生された曲ほど大きな値となり、かつ、再生時に中断した曲よりも最後まで再生した曲ほど大きな値となり、かつ、再生時期が最近のものほど大きな値となるようにした。
したがって、履歴値ＲＲに、ユーザの嗜好を確実に強く反映させることができる。そして、各選択ボタン１００〜１０８の半径が、各グループＧ０〜Ｇ８に含まれる楽曲の履歴値ＲＲの合計値ＧＲにより決定するようにしたため、各選択ボタン１００〜１０８の大きさに、ユーザの嗜好を確実に強く反映させることができる。【００６８】
加えて、上述のように、両特徴量Ｓｘ，Ｓｙに応じて複数に分類した各グループＧ０〜Ｇ８を選択する各選択ボタン１００〜１０８を、合計値ＧＲが大きいほど面積を大きく表示するようにしたため、直感的に再生頻度の高さ、つまり、ユーザの嗜好を明確に認識しやすい。すなわち、大きさの違いの認識は、丸や四角や三角などの形状の違いや色の違いを認識するよりも、直感的な違いの認識が可能であり、より直感的で正確な再生頻度の認識が可能となる。【００６９】
また、本実施例１では、両特徴量Ｓｘ，Ｓｙにより分類した各グループＧ０〜Ｇ８に対応する各選択ボタン１００〜１０８を、両特徴量Ｓｘ，Ｓｙを直交する２軸で表す表示画面）ａにおいて、両特徴量Ｓｘ，Ｓｙに応じた位置に配置するようにした。このように、各選択ボタン１００〜１０８は、常に一定の位置に配置され、表示位置が変化しないため、表示位置が変化するものと比較して、各選択ボタン１００〜１０８が示すグループＧ０〜Ｇ８の音楽的特徴の認識を短時間に行うことができ、ユーザの検索が容易となる。【００７０】
さらに、本実施例１では、楽曲の音楽的特徴を表す特徴量として、楽曲全体の音圧変動を示す第１特徴量Ｓｘと、楽曲全体の音圧の平均値を表す第２特徴量Ｓｙと、を用いるようにしたため、楽曲を、「力強さ」あるいは「激しさ」、「ビートの強さ」や「メリハリの強さ」、「穏やかさ」や「癒し系」を基準に複数に分類することができる。したがって、楽曲を、ユーザにわかりやすく分類することができる。【００７１】
しかも、上述の両特徴量Ｓｘ，Ｓｙとして、楽曲の全体に亘って算出した値を用いるようにしたため、楽曲の一部から、両特徴量Ｓｘ，Ｓｙを求めるものと比較して、楽曲の音楽的特徴を、正確に算出することができる。すなわち、楽曲の一部から両特徴量Ｓｘ，Ｓｙを算出する場合、算出対象の部分の相違、例えば、楽曲のイントロ部分やさび部分などの違いにより、特徴量が異なって算出されるおそれがあるのに対し、そのような不具合を回避することができる。【００７２】
次に、本実施例１のオーディオ装置は、下記の効果を得ることができる。
本実施例１のオーディオ装置では、楽曲の検索指示時に、ディスプレイ装置の表示画面上に、特徴量に応じて分類した複数のグループに対応する選択ボタンをあらかじめ設定された位置に表示し、しかも、各選択ボタンを、対応する各グループの再生履歴情報に応じた形状や色による表現要素を加えて表示する。【００７３】
したがって、ユーザは、選択ボタンの位置により、例えば、「激しい曲」や「癒し系の曲」などの音楽的特徴に応じて分類されたグループを認識することができるとともに、選択ボタンの形状と色との少なくとも一方を含む表現要素を加えた表示に基づいて、ユーザ自身の再生の傾向を示す再生履歴情報を直感的に、すなわち短時間に正確に認識することができる。
よって、ユーザは、再生したい楽曲の分類と、ユーザ自身の再生傾向と、に応じて複数の選択ボタンから任意の選択ボタンを選択し、任意のグループを選択し、そのグループに含まれる楽曲を選択することができる。【００７４】
このように、本実施例１のオーディオ装置では、楽曲の検索時に、保存された多数の楽曲の中から、表示される選択ボタンが示す特徴量と、その選択ボタンに対応するグループに含まれる楽曲に対するユーザ自身の再生傾向と、を短時間に認識して選択することが可能となり、ユーザの要求に対応したグループに含まれる楽曲の選択が容易となる。【００７５】
さらに、本実施例１のオーディオ装置では、再生履歴情報として、再生頻度が高いほど大きな値となる履歴値を用いるようにしたため、再生履歴情報の数値化処理が容易であるとともに、ユーザの嗜好を履歴値、ひいては選択ボタンの表示に反映させることができる。【００７６】
本実施例１のオーディオ装置では、複数の楽曲を再生した場合に、ユーザの嗜好が顕著に反映されやすい最初に再生された曲の履歴値が、２番目以降に再生されたものよりも大きくなるようにしたため、再生された楽曲の履歴値が一定の場合と比較して、履歴値に、ユーザの嗜好をいっそう反映させることができ、選択ボタンの表示に加える形状や色による表現要素に、いっそうユーザの嗜好を反映させて表示させることが可能となる。【００７７】
本実施例１のオーディオ装置では、再生された楽曲でも、最後まで再生されたか中断されたかに基づいて、最後まで再生された楽曲の履歴値が大きくなるようにしたため、再生された楽曲の履歴値が一定の場合と比較して、履歴値に、ユーザの嗜好をより正確に反映させることができ、これにより、選択ボタンの形状にユーザの嗜好を反映させて表示させることが可能となる。【００７８】
本実施例１のオーディオ装置では、楽曲の再生時期が現在に近いか否かにより、現在に近いほど履歴値が大きくなるようにしたため、再生された楽曲の履歴値が一定の場合と比較して、履歴値に、ユーザの最近の嗜好を反映させることができ、これにより、選択ボタンの形状にユーザの最近の嗜好を反映させて表示させることが可能となる。【００７９】
本実施例１のオーディオ装置では、複数に分類した各グループの選択ボタンを、履歴値が大きいほど選択ボタンの面積を大きく表示するようにしたため、直感的に再生頻度の高さを明確に認識しやすい。すなわち、大きさの違いの認識は、丸や四角や三角などの形状の違いや色の違いを認識するよりも、違いの程度を直感的に認識することが可能であり、より直感的で正確な再生頻度の認識が可能となる。【００８０】
本実施例１のオーディオ装置では、選択ボタンは、第１・第２の２つの特徴量を２軸で表す表示画面上において、両特徴量に応じた位置に配置されるため、常に一定の位置に配置される。このように選択ボタンの位置が変化しないため、ユーザは、選択したい特徴量を選択可能な選択ボタンを、短時間に正確に認識でき、ユーザの要求に応じた楽曲の選択が容易となる。【００８１】
本実施例１のオーディオ装置では、楽曲分析装置は、第１特徴量により、楽曲の持つ「力強さ」あるいは「激しさ」の程度を判定し、第２特徴量により、楽曲の持つ「ビートの強さ」や「メリハリの強さ」の程度を判定して、これに基づいて複数の分類することができる。よって、検索時に、ユーザの要求に応じた選択を可能とする。
例えば、特徴量としてテンポを用いた場合、このテンポは、あらゆるジャンルの音楽で一致する可能性が高く、テンポだけでは、ユーザの要求に応じた楽曲を選択するのが難しい。それに対して、本発明では、楽曲の音楽的特徴を示す第１特徴量および第２特徴量に基づいて分類を行うため、ユーザは、そのとき聴きたいグループの選択を、より正確に行うことが可能となる。【００８２】
また、本実施例１の楽曲検索方法は、次の効果を得ることができる。
本実施例１の楽曲検索方法では、分析ステップと履歴値算出ステップと表示ステップを実行することにより、音楽的特徴量とユーザの再生傾向とを反映させた複数の選択ボタンが表示されるため、楽曲の選択時に、保存された多数の楽曲の中から、楽曲が有する特徴量と自身の再生傾向とを短時間に認識して選択することが可能となり、ユーザの要求に応じた楽曲の選択が容易となる。【００８３】
以上、図面を参照して、本発明の実施の形態の実施例１を詳述してきたが、具体的な構成は、この実施例１に限らず、本発明の要旨を逸脱しない程度の設計的変更は、本発明に含まれる。【００８４】
すなわち、実施例１では、オーディオ装置として、車載のオーディオ装置に適用した例を示したが、これに限定されない。例えば、オーディオ装置に適用する場合でも、車載のものに限らず、携帯式や室内据え置き式のオーディオ装置にも適用することができる。さらに、オーディオ装置に限らず、パーソナルコンピュータなどにおいて、単に分析機能として与えてもよいし、あるいは、再生機能と一緒に搭載してもよい。【００８５】
また、実施例１では、内部楽曲保存装置２としてハードディスクドライブを用いた例を示したが、これ以外の記憶媒体を用いることもできる。【００８６】
また、実施例１では、内部楽曲保存装置２に保存した楽曲を、９種類のグループＧ０〜Ｇ８に分類する例を示したが、この分類する数は、これに限定されるものではなく、２以上の複数であればよい。【００８７】
したがって、選択ボタンとしても、実施例１では、９個の第１〜第９選択ボタン１００〜１０８を示したが、その数は、９に限定されるものではなく、２以上の複数であればよい。
さらに、選択ボタンとして、実施例１では、表示画面９ａ上に、円形に表示する例を示したが、これに限定されるものではなく、楕円や、他の多角形形状や、花模様などのイメージであってもよい。【００８８】
また、選択ボタンを、再生履歴情報に応じた形状や色などの表現要素を加えて表示するのにあたり、実施例１では、合計値ＧＲの大きさに応じて半径を決定するようにした例を示したが、これに限定されるものではない。
すなわち、形状による表現要素を加える場合でも、大きさの変化で表示するだけではなく、形状自体を変えて表示してもよい。具体的には、合計値ＧＲが最も小さいものは、三角形で、合計値ＧＲの大きさが閾値を超えるに応じて、多角形の角数を増加して表示したり、あるいは、合計値ＧＲが大きなものに、特徴的な形状、例えば、星形を与えるようにするなどしてもよい。
さらに、選択ボタンに加える表現要素としては、形状の変化だけでなく、色で与えるようにしてもよい。例えば、あらかじめ設定された色において、合計値ＧＲに応じて濃さを変化させてもよい。具体的には、合計値ＧＲが最も小さなものを「白」で表示する一方、合計値ＧＲが最も大きなものを「黒」で表示するとともに、その中間は、濃さを異ならせた複数の「灰色」で表示するようにしてもよい。あるいは、合計値ＧＲが小さなものは、複数の寒色で表示し、合計値ＧＲが大きいものは、複数の暖色で表示するようにしてもよい。【００８９】
また、実施例１では、特徴量として、曲全体の音圧変動の大きさに比例した第１特徴量Ｓｘと、曲全体の音圧平均値に比例した、第２特徴量Ｓｙと、を用いた例を示したが、この特徴量としては、これ以外の分析可能な値を用いてもよい。
一例としては、楽曲全体に亘って平均化された振幅データの変動具合を統計量である分散（標準偏差）によって表現した曲全体における振幅分布状況を表す統計量で定義される抑揚度と、楽曲の１曲の全体における周波数分布の比率で定義される周波数比と、を挙げることができる。
音楽のジャンルにより、この抑揚度と周波数比との特性が異なる傾向にあり、抑揚度と周波数比を用いた場合、ある程度ジャンルを絞って分類することが可能になる。
また、上記の抑揚度と周波数比以外にも、楽曲の特徴量を、テンポ、ビートなどの直接的音楽特徴量を用いて、テンポの速い曲とテンポの遅い曲、ビートが激しい曲、ビートが弱い曲などを基準に分類することもできる。【００９０】
また、実施例１では、ディスプレイ装置９が、楽曲の再生指示および検索指示の操作を実行可能な指示操作装置を兼ねるようにしたものを示したが、これらの指示は、ディスプレイ装置９のタッチパネル機能を使用せずに、ディスプレイ装置９とは別個に設けられたスイッチを用いるようにしてもよい。【００９１】
本願は、２００７年１０月３０日に出願された日本特許出願番号２００７−２８１４３９に基づき優先権主張をするものであり、その開示内容をすべて援用してここに含める。
【図１】
2009057625.tif 000003
【図２】
2009057625.tif 000004
【図３】
2009057625.tif 000005
【図４】
2009057625.tif 000006
【図５】
2009057625.tif 000007
【図６】
2009057625.tif 000008
【図７】
2009057625.tif 000009
【国際調査報告】
2009057625.tif 000010
2009057625.tif 000011